(57)【要約】【課題】本発明は、本発明は、豊かな胸の谷間を形成しつつ、その状態を安定的に保持できるカップ付き衣類を提供することを目的とする。【解決手段】カップ付き衣類１は、左右の乳房を覆う一対のカップ部６、６と、一対のカップ部間に設けられて、これらのカップ部同士を連結する連結部３１と、を備え、連結部が、各カップ部の周縁６ｃに連続して設けられた連続部３２と、該連続部に設けられるとともに、上方に開口を有するＵ字状に構成された線状芯材３３と、を備えている。カップ部における周縁６ｃから突出方向に離隔した位置で、カップ部に接続され、一対のカップ部同士を引き寄せる引寄せ部７を備えている。【選択図】図３
2016056473.tif 000002
【特許請求の範囲】
【請求項１】
左右の乳房を覆う一対のカップ部と、前記一対のカップ部間に設けられて、これらのカップ部同士を連結する連結部と、を備え、
前記連結部が、前記各カップ部の周縁に連続して設けられた連続部と、該連続部に設けられるとともに、上方に開口を有するＵ字状に構成された線状芯材と、を備えたカップ付き衣類であって、
前記カップ部における周縁から突出方向に離隔した位置で、前記カップ部に接続され、前記一対のカップ部同士を引き寄せる引寄せ部を備えていることを特徴とするカップ付き衣類。
【請求項２】
前記引寄せ部が、紐部材と、該紐部材の先端が挿通されるとともに並べて形成される複数の孔部と、を備え、
前記孔部が、前記各カップ部に接続され、
前記紐部材が、前記各カップ部それぞれに接続される前記孔部間に交互に架け渡され、前記孔部に挿通されて編み上げられることで、前記一対のカップ部同士を引き寄せるように構成されていることを特徴とする請求項１記載のカップ付き衣類。
【請求項３】
前記線状芯材が、弾性材から構成され、前記各カップ部の周縁同士が互いに近接する方向への力が作用するように構成されていることを特徴とする請求項１又は請求項２記載のカップ付き衣類。
【請求項４】
前記線状芯材が、その開口端に向かうに従って、着用者に接近するように屈曲する屈曲した形状を有していることを特徴とする請求項１乃至請求項３のうち何れか一項記載のカップ付き衣類。
【発明の詳細な説明】
【技術分野】
【０００１】
本発明は、乳房を覆う一対のカップ付き衣類に関する。
【背景技術】
【０００２】
着用時に乳房を被覆する左右一対のカップと、各カップの周縁同士に連続されるとともに、これらカップを横一列につなぐ連結部とを備え、上記連結部の中央に略Ｕ字状の切欠き部が形成され、この切欠き部の縁がテープでくるまれ、このくるみ部内に、上記切欠き部の縁に沿う略Ｕ字状に曲成された線状芯材が挿入されたブラジャー構造が開示されている（例えば、特許文献１参照。）。切欠き部の開口端には、その両側それぞれに紐部材が縫い付けられていて、着用した後に、紐部材によりその開口端同士が引き寄せられ、閉じられるように構成されている。こうして、従来のブラジャー構造は、左右のカップが中心側に引き寄せられている。
【先行技術文献】
【特許文献】
【０００３】
【特許文献１】実開平５−３７９０６号公報
【発明の概要】
【発明が解決しようとする課題】
【０００４】
しかしながら、従来のブラジャー構造は、左右のカップの周縁同士が、中心側に引き寄せられているが、左右のカップの周縁同士が引き寄せられても、乳房同士が近接されていないので、着用時において、豊かな胸の谷間が形成され難い。
【０００５】
本発明は、豊かな胸の谷間を形成しつつ、その状態を安定的に保持できるカップ付き衣類を提供することを目的とする。
【課題を解決するための手段】
【０００６】
請求項１に記載の本発明は、左右の乳房を覆う一対のカップ部と、前記一対のカップ部間に設けられて、これらのカップ部同士を連結する連結部と、を備え、
前記連結部が、前記各カップ部の周縁に連続して設けられた連続部と、該連続部に設けられるとともに、上方に開口を有するＵ字状に構成された線状芯材と、を備えたカップ付き衣類であって、
前記カップ部における周縁から突出方向に離隔した位置で、前記カップ部に接続され、前記一対のカップ部同士を引き寄せる引寄せ部を備えていることを特徴とするカップ付き衣類である。
【０００７】
請求項２に記載の発本明は、請求項１記載の本発明において、前記引寄せ部が、紐部材と、該紐部材の先端が挿通されるとともに並べて形成される複数の孔部と、を備え、
前記孔部が、前記各カップ部に接続され、
前記紐部材が、前記各カップ部それぞれに接続される前記孔部間に交互に架け渡され、前記孔部に挿通されて編み上げられることで、前記一対のカップ部同士を引き寄せるように構成されていることを特徴とする。
【０００８】
請求項３に記載の本発明は、請求項１又は請求項２記載の本発明において、前記線状芯材が、弾性材から構成され、前記各カップ部の周縁同士が互いに近接する方向への力が作用するように構成されていることを特徴とする。
【０００９】
請求項４に記載の本発明は、請求項１乃至請求項３のうち何れか一項記載の本発明において、前記線状芯材が、その開口端に向かうに従って、着用者に接近するように屈曲する屈曲した形状を有していることを特徴とする。
【発明の効果】
【００１０】
請求項１に記載の本発明によれば、左右の乳房を覆う一対のカップ部と、一対のカップ部間に設けられて、これらのカップ部同士を連結する連結部と、を備え、連結部が、各カップ部の周縁に連続して設けられた連続部と、該連続部に設けられるとともに、上方に開口を有するＵ字状に構成された線状芯材と、を備え、カップ部における周縁から突出方向に離隔した位置で、カップ部に接続され、一対のカップ部同士を引き寄せる引寄せ部を備えている。これにより、線状芯材により、乳房の輪郭が形成され、寄せ上げられた乳房の形状が維持されつつ、引寄せ部により、カップ部により被覆された左右の乳房がより高い位置、即ちカップ部の突出方向側で中心側に引き寄せられることとなり、左右の乳房が互いに近接されることとなる。従って、豊かな胸の谷間を形成しつつ、その状態を安定的に保持できるカップ付き衣類を提供することができる。
【００１１】
請求項２に記載の本発明によれば、引寄せ部が、紐部材と、該紐部材の先端が挿通されるとともに並べて形成される複数の孔部と、を備え、孔部が、各カップ部に接続され、記紐部材が、各カップ部それぞれに接続される孔部間に交互に架け渡され、孔部に挿通されて編み上げられることで、一対のカップ部同士をその突出方向側で引き寄せるように構成されている。これにより、着用者が、バストシルエット、即ち、一対のカップ部の引き寄せ具合をアウターウェアに合わせて調整することができる。また、紐部材が、線状芯材と対向する位置にて左右の孔部間に架け渡され、編み上げられることにより、デザイン性の向上を図ることができる。
【００１２】
請求項３に記載の本発明によれば、線状芯材が、弾性材から構成され、各カップ部の周縁同士が互いに近接する方向への力が作用するように構成されている。従って、乳房の輪郭を形成しつつ、左右のカップをその周縁側にて中心側に引き寄せることが出来るから、より一層、豊かな胸の谷間を形成することができる。
【００１３】
請求項４に記載の本発明によれば、線状芯材が、その開口端に向かうに従って、着用者に接近するように屈曲する屈曲した形状を有している。このような形状を有していることにより、着用時において、線状芯材が着用者の皮膚から浮き上がり難くなり、よって、より一層、明確に、乳房の輪郭が形成され、より一層、豊かな胸の谷間を形成することができる。
【図面の簡単な説明】
【００１４】
【図１】本発明の一実施の形態にかかるカップを有する衣類の展開状態を示す平面図である。
【図２】図１に示されたカップを有する衣類の要部拡大図である。
【図３】図１に示されたカップを有する衣類の作用を説明するための図であり、（Ａ）は、カップ部同士が離隔した状態を示す図であり、（Ｂ）は、カップ部同士が近接した状態を示す図である。
【図４】着用状態のカップを有する衣類を背面側から見た平面図である。
【発明を実施するための形態】
【００１５】
以下、本発明の例示的一態様である実施形態にかかるカップを有する衣類としてのボディスーツを図１〜図４を参照して説明する。図１は、本発明の一実施の形態にかかるカップを有する衣類の展開状態を示す平面図であり、図２は、図１に示されたカップを有する衣類の要部拡大図であり、図３は、図１に示されたカップを有する衣類の作用を説明するための図であり、（Ａ）は、カップ部同士が離隔した状態を示す図であり、（Ｂ）は、カップ部同士が近接した状態を示す図であり、図４は、着用状態のカップを有する衣類を背面側から見た平面図である。
【００１６】
ボディスーツは、図１に示すように、筒状の身頃部２を有して構成されている。身頃部２は、胴体の正面側を覆う前身頃３と、胴体の背面側を覆う後身頃４（図４に示す）と、を備え、前身頃３の下端の中心部と後身頃４の下端の中心部とがクロッチ部５において着脱自在に係止されている。本実施形態のボディスーツ１は、フラダンスを踊る際に着用されるものであり、フラダンス衣装のインナーウエアとして用いられるものである。
【００１７】
前身頃３は、図１に示すように、左右の乳房それぞれを覆う一対のカップ部６、６と、一対のカップ部６、６同士を中心側に引き寄せる引寄せ部７と、一対のカップ部６、６の下方側に連続される身頃本体３０と、を備えて構成されている。
【００１８】
一対のカップ部６、６の各々は、前方に向かうに従って、その出寸法が徐々に大きくなるような略半球状に形成され、その頂部６ａ（最も出寸法が大きい位置、図２に示す）が、カップ部６の中心よりも前中心側に偏心して設けられている。
【００１９】
また、一対のカップ部６は、その周縁部（符号６ｂ、６ｃが示す位置）が、上方側の上周縁部６ｂと、この上周縁部６ｂに連続された下周縁部６ｃと、を有して構成されている。この下周縁部６ｃは、身頃本体３０に連続される、身頃本体３０とカップ部６の境界位置であり、着用者がボディスーツ１を着用した状態（以下、着用状態と称す）で、バージスライン（乳房の輪郭線）に沿うように円弧状に設けられている。この下周縁部６ｃは、着用状態で、その中心側の一端６ｄが、バストトップ（乳首）と略同じ高さ位置となるように、その中心から離れた他端６ｅ（図２に示す）が、その一端６ｄと略同じ高さ位置でかつ、腕の付け根に位置する、即ち脇線に重なるように設けられている。また、この下周縁部６ｃには、その全長に金属製のワイヤー（図示しない）が埋設されている。
【００２０】
ここで、本明細書では、一対のカップ部６、６が並ぶ方向を矢印Ｘで示し、着用状態において、着用者が起立した際の上下方向を矢印Ｙで示す。また、矢印Ｘ方向を左右方向と記し、各カップ部６が突出する方向を前後方向と記し、矢印Ｙ方向を上下方向と記す場合がある。左右方向、前後方向、上下方向は、互いに直交する方向である。
【００２１】
各カップ部６は、図２に示すように、第１部材６１と、第２部材６２と、第３部材６３と、第４部材６４との４つの部材が縫い合わされることにより略半球状に形成されている。第１部材６１と第２部材６２は、カップ部６の頂部６ａよりも下方側において、第１部材６１が第２部材６２よりも前中心から離れた側に隣接して設けられ、第３部材６３は、カップ部６の頂部６ａよりも上方側において、第１部材６１が第２部材６２よりも上方側に設けられ、第４部材６４は、カップ部６の頂部６ａよりも前中心側において、第２、第３部材６３よりも、前中心側に設けられている。なお、図２においては、紐部材（後述する）の図示は省略されている。
【００２２】
第１部材６１は、カップ部６の下周縁部６ｃの一部を構成する第１の辺６１ａと、第１の辺６１ａの上端に交差して設けられてカップ部６の頂部６ａまで延在する第２の辺６１ｂと、第１の辺６１ａの下端に交差して設けられてカップ部６の頂部６ａまで延在する第３の辺６１ｃと、を有する三角形状に形成されている。
【００２３】
第２部材６２は、カップ部６の下周縁部６ｃの一部を構成する第４の辺６２ａと、第１部材６１の第２の辺６１ｂに連続して設けられて中心側に向けて延在する第５の辺６２ｂと、第４の辺６２ａの一端に交差して設けられて、第１部材６１の第３の辺６１ｃに重ねて縫い合わされる第６の辺６２ｃ（第１部材６１の第３の辺６１ｃと同じ位置を示す）と、第４の辺６２ａの他端に交差して設けられる第７の辺６２ｄと、を有して四角形状に形成されている。
【００２４】
第３部材６３は、第１部材６１の第２の辺６１ｂ及び第２部材６２の第５の辺６２ｂに重ねて縫い合わされる第８の辺６３ａ（第１部材６１の第２の辺６１ｂ及び第２部材６２の第５の辺６２ｂと同じ位置を示す）と、この第８の辺６３ａと略同一寸法だけ離間して設けられて、カップ部６の上周縁部６ｂの一部を構成する第９の辺６３ｂと、第８の辺６３ａ及び第９の辺６３ｂの中心から離れた側の一端同士に連続されるとともに、カップ部６の下周縁部６ｃの一部を構成する第１０の辺６３ｃと、第８の辺６３ａ及び第９の辺６３ｂの中心側の他端同士に連続される第１１の辺６３ｄと、を有して帯板状に形成されている。
【００２５】
第４部材６４は、カップ部６の下周縁部６ｃの一部を構成する第１２の辺６４ａと、第２部材の第７の辺６２ｄ及び第３部材６３の第１１の辺６３ｄに重ねて縫い合わされる第１３の辺６４ｂ（第２部材６２の第７の辺６２ｄ及び第３部材６３の第１１の辺６３ｄと同じ位置を示す）と、第３部材６３の第９の辺６３ｂに連続されるとともに、カップ部６の下周縁部６ｃの一端６ｄに到りかつカップ部６の上周縁部６ｂの一部を構成する第１４の辺６４ｃと、を有して三角形状に形成されている。この第１３の辺６４ｂは、その下端から上端に向かうに従って、第１２の辺６４ａ（カップ部６の周縁部６ｂ、６ｃ）からカップ部６の突出方向に離隔した位置に設けられている。また、この第１２の辺６４ａは、下端がカップ部６の下周縁部６ｃに接触して設けられ、この第１２の辺６４ａは、下端がカップ部６の下周縁部６ｃに接触して設けられ、下端から上端に向かうに従って、下周縁部６ｃからカップ部６の突出方向に離隔するように設けられている。
【００２６】
このカップ部６において、その上周縁部６ｂは、第３部材６３の第９の辺６３ｂ、第４部材６４の第１４の辺６４ｃ、の順に連続形成され、その下周縁部６ｃは、第３部材６３の第１０の辺６３ｃ、第１部材６１の第１の辺６１ａ、第２部材６２の第４の辺６２ａ、第４部材６４の第１２の辺６４ａ、の順に連続形成されている。
【００２７】
引寄せ部７は、図３に示すように、紐部材７１と、紐部材７１の先端部が挿通される環状部７０（孔部、図２に示す）が複数形成されるとともに、これらの環状部７０が直線状に並べて形成される鎖状部７２と、を備えて構成されている。この鎖状部７２は、第４部材６４の第１３の辺６４ｂに沿って（第１３の辺６４ｂに重ねて）延在形成されている。この鎖状部７２のうち、その上端及び下端から間隔をあけた中央部に、紐部材７１が左右の環状部７０に交互に架け渡される編み上げ部７３が設けられている。この編み上げ部７３は、カップ部６の下周縁部６ｃ（周縁）から、カップ部６の突出方向に離隔した位置において、カップ部６に接続されている。この紐部材７１は、編み上げ部７３の上方から下方に向けて編まれている。
【００２８】
このようにして、図３（Ａ）に示すように、編み上げ部７３に紐部材７１が架け渡され、この状態で、紐部材７１の両端を下方側に引っ張ることで、図３（Ｂ）に示すように、各カップ部６の編み上げ部７３同士が重ねられることとなり、一対のカップ部６により被覆された左右の乳房がより高い位置、即ちカップ部６の突出方向側で中心側に引き寄せられて、左右の乳房が互いに引き寄せられることとなる。即ち、紐部材７１が、左右のカップ部６の環状部７０間に交互に架け渡され、環状部７０に挿通されて編み上げられることで、一対のカップ部６同士を引き寄せるように構成されている。これにより、着用者が、バストシルエット、即ち、一対のカップ部６、６の引き寄せ具合をアウターウェアに合わせて調整することができる。また、紐部材７１が、線状芯材３３と対向する位置にて左右の環状部７０間に架け渡され、編み上げられることにより、デザイン性の向上を図ることができる。
【００２９】
なお、本実施形態では、紐部材７１が、編み上げ部７３の上方から下方に向けて編まれているが、本発明はこれに限定されるものではない。紐部材７１が、編み上げ部７３の上方から下方に向けて編まれていてもよい。また、本実施形態では、引寄せ部７において、編み上げ部７３が、環状部７０（孔部）が直線状に並べて構成されているが、孔部が直線状ではなく、互い違いになるように設けられていてもよい。
【００３０】
また、本実施形態では、引寄せ部７は、紐部材７１及び編み上げ部７３を有して構成されているが、本発明はこれに限定されるものではない。引寄せ部は、カップ部において、一箇所（１つの孔部）で接続するように、例えば、ボタンやフック、リボンを結わいて引き寄せるように構成されていてもよい。即ち、引寄せ部は、カップ部における周縁から突出方向に離隔した位置で、カップ部に接続され、一対のカップ部同士を引き寄せるように構成されていれば、如何なる構成を有していてもよい。
【００３１】
身頃本体３０には、一対のカップ部６間に設けられて、これらのカップ部６同士を連結する連結部３１が設けられている。この連結部３１は、各カップ部６の周縁６ｂ、６ｃに連続して設けられた連続部３２と、該連続部３２の内部に設けられるとともに、上方に開口を有するＵ字状に構成された線状芯材３３と、を備えて構成されている。この連続部３２には、線状芯材３３の開口と重なる位置に三角形状の切欠部３４が形成されている。この切欠部３４は、線状芯材３３に囲まれるように、連続部３２の上端を切り欠いて、下方に向かうに従って左右方向の寸法が大きくなるように形成されている。
【００３２】
線状芯材３３は、カップ部６の下周縁部６ｃに埋設されたワイヤーと略同一のワイヤー（弾性材）から構成されている。この線状芯材３３は、一対の直線部３５、３５と、これらを連結する直線状の下辺部３６と、を有して、上方に開口端を有するコ字状（略Ｕ字状）に形成されている。下辺部３６は、左右方向に延在形成されている。一対の直線部３５、３５は、上端に向かうに従って互いに近付く方向に傾斜して設けられ、各上端（開口端）はそれぞれ、カップ部６の下周縁部６ｃの各一端６ｄに連続されている。さらに、線状芯材３３は、各カップ部６の下周縁部６ｂの一端６ｄ同士が互いに近接する方向への力が作用するように、即ち付勢するように構成されている。
【００３３】
また、線状芯材３３は、着用状態で、その上端（直線部３５、３５の上端）が乳首と略同じ高さ、若しくは僅かに上側に位置になるように設けられ、その下端（直線部３５、３５の下端）が、カップ部６の最下端と略同じ高さ、若しくは僅かに下側に位置するように設けられている。これにより、明確に、乳房の輪郭が形成されることとなる。
【００３４】
さらに、一対の直線部３５、３５は、それぞれ、その上下方向の中央部が着用者に接近するように曲げられて、その上端（開口端）に向かうに従って、着用者に接近するように屈曲する屈曲した形状を有している。このような形状を有していることにより、着用時において、線状芯材３３が着用者の皮膚から浮き上がり難くなり、よって、より一層、明確に、乳房の輪郭が形成され、より一層、豊かな胸の谷間を形成することができる。
【００３５】
さらに、身頃部２は、図４に示すように、前身頃３と後身頃４との境界部に連続されて背中側に巻かれる一対のバック部２１を備えている。各バック部２１の上縁２１ａは、背中心位置において、線状芯材３３の上端（開口端）下端との間と略同じ高さに位置するように形成されている。各バック部２１の先端部には、その先端部同士を、背中心位置にて係脱自在に係止する係止部２２が設けられている。
【００３６】
後身頃４は、その上周縁の左右の両端（不図示）が、前身頃３の上周縁の左右の両端３ａよりも下方側に位置するように設けられている。また、後身頃４の上周縁は、その左右の両端から背中心に向かうに従って、徐々に刳りが深くなるように抉れて形成されている。バック部２１が背中側に巻かれて、その先端部同士が係止部２２により係止された状態で、後身頃４の上周縁は、その全体が、バック部２１に覆われるように構成されている。このように、バック部２１を、後身頃４に一体に設けるのではなく、独立した構成にすることで、カップ部６がずれ下がるのが抑制され、ボディスーツ１が着用者にフィットされることとなる。
【００３７】
上述した実施形態によれば、線状芯材３３により、乳房の輪郭が形成され、寄せ上げられた乳房の形状が維持されつつ、引寄せ部７により、カップ部６により被覆された左右の乳房がより高い位置、即ちカップ部６の突出方向側で中心側に引き寄せられることとなり、左右の乳房が互いに近付く方向に近接されることとなる。従って、豊かな胸の谷間を形成しつつ、その状態を安定的に保持できる。
【００３８】
なお、本発明の実施形態は、フラダンスを踊る際に着用されるものであり、フラダンス衣装のインナーウエアとして用いられるボディスーツ１の一例を説明したが、本発明はこれに限定されるものではない。カップ付き衣類として、ブラジャーやブラスリップやビスチェであってもよい。また、カップ付き衣類は、社交ダンスの衣装や水着、レオタードなどのアウターウエアとして用いてもよく、ウエディングドレスのインナーウエアとして用いてもよく、日常、家庭の中などで着用する衣服のインナーウエアとして用いてもよい。
【００３９】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明のカップ付き衣類の構成を具備する限り、勿論、本発明の範疇に含まれるものである。
【符号の説明】
【００４０】
１        ボディスーツ（カップ付き衣類）
６        カップ部
６ｃ      カップ部の下周縁部（カップ部の周縁）
７        引寄せ部
３１      連結部
３２      連続部
３３      線状芯材
７０      環状部（孔部）
７１      紐部材
【図１】
2016056473.tif 000003
【図２】
2016056473.tif 000004
【図３】
2016056473.tif 000005
【図４】
2016056473.tif 000006